(57)【要約】【課題】低コストで外装パネルのカラーバリエーションを多様化することができる壁掛型空気調和装置を提供する。【解決手段】空気調和機本体３が熱交換器７及び送風機９を備え、空気調和機本体３の吸込口１５、１７から送風機９が吸い込んだ室内空気を熱交換器７で熱交換して吹出口１９から室内空間に吹き出す構成とした壁掛型空気調和装置１において、空気調和機本体３の外装パネル５０が透明若しくは半透明の飾りパネル部５１を備え、該飾りパネル部５１の内側に外側から視認可能に装飾シート５２を備える構成とする。【選択図】図７
2009079869.tif 000002
【特許請求の範囲】
【請求項１】
空気調和機本体が熱交換器及び送風機を備え、空気調和機本体の吸込口から前記送風機が吸い込んだ室内空気を前記熱交換器で熱交換して吹出口から室内空間に吹き出す構成とした壁掛型空気調和装置において、
空気調和機本体の外装パネルが透明若しくは半透明の飾りパネル部を備え、該飾りパネル部の内側に外側から視認可能に装飾シートを備えたことを特徴とする壁掛型空気調和装置。
【請求項２】
前記空気調和機本体の両側壁部に前記飾りパネル部及び前記装飾シートを設けたことを特徴とする請求項１に記載の壁掛型空気調和装置。
【請求項３】
前記空気調和機本体の前面に前記飾りパネル部及び前記装飾シートを設けたことを特徴とする請求項１に記載の壁掛型空気調和装置。
【請求項４】
前記飾りパネル部は、前記空気調和機本体に脱着自在に組み付けられることを特徴とする請求項１〜３のいずれか一項に記載の壁掛型空気調和装置。
【請求項５】
前記飾りパネル部は、空気調和機本体の前面側から脱着自在に前記側壁部に組み付けられたことを特徴とする請求項２に記載の壁掛型空気調和装置。
【請求項６】
前記飾りパネル部には断面視において波状の凹凸模様が付されていることを特徴とする請求項１〜５のいずれか一項に記載の壁掛型空気調和装置。
【発明の詳細な説明】
【技術分野】
【０００１】
本発明は、外装パネルを備える壁掛型空気調和装置に関する。
【背景技術】
【０００２】
従来、壁掛型空気調和装置の室内ユニット（空気調和機本体）には、外装パネルが設けられている。また、近年では、室内ユニットの前面に室内空気の吸込口を構成するとともに、この吸込口を筐体に対して開閉自在にもうけられる外装パネルにより被覆するようにしたものが知られている（例えば、特許文献１参照）。
この種の壁掛型空気調和装置では、機種毎に外装パネルの色が異なるものが二、三種類が用意されているのが一般的である。ユーザは、設置する居室のインテリア等に応じて好みの色を選ぶことができるようになっている。
【特許文献１】特開２００６−１３２８７２号公報
【発明の開示】
【発明が解決しようとする課題】
【０００３】
ところで、近年、ユーザの嗜好は多様化の傾向にあり、外装パネルのカラーバリエーションの多様化が求められている。しかしながら異なる色の外装パネルを製造するには、各色に着色した樹脂原料を用いて各色毎に外装パネルを成型する必要があり、コスト増につながる恐れがある。
本発明の課題は、低コストで外装パネルのカラーバリエーションを多様化することができる壁掛型空気調和装置を提供することにある。
【課題を解決するための手段】
【０００４】
上記課題を解決するため、本発明の空気調和機本体が熱交換器及び送風機を備え、空気調和機本体の吸込口から前記送風機が吸い込んだ室内空気を前記熱交換器で熱交換して吹出口から室内空間に吹き出す構成とした壁掛型空気調和装置において、空気調和機本体の外装パネルが透明若しくは半透明の飾りパネル部を備え、該飾りパネル部の内側に外側から視認可能に装飾シートを備えたことを特徴とする。
上記構成によれば、空気調和機本体の外装パネルが透明若しくは半透明の飾りパネル部を備え、この飾りパネル部の内側に外側から視認可能に装飾シートを備えているので、装飾シートのカラーバリエーションを多様化すれば、低コストで外装パネルのカラーバリエーションを多様化することができる。また、装飾シートは色の異なるものだけではなく、模様等の異なるものを用意することにより、外装パネルの意匠を簡易に、かつ、低コストで多様化することができる。
【０００５】
上記構成において、前記空気調和機本体の両側壁部に前記飾りパネル部及び前記装飾シートを設けてもよい。
上記構成によれば、空気調和機本体の両側壁部に飾りパネル部と装飾シートを設けることにより、空気調和機本体の両側壁部の外装パネルの色を簡易に、かつ、低コストで多様化することができる。
【０００６】
また、上記構成において、前記空気調和機本体の前面に前記飾りパネル部及び前記装飾シートを設けてもよい。
上記構成によれば、空気調和機本体の前面に飾りパネル部と装飾シートとを設けることにより、空気調和機本体の前面の外装パネルの色を簡易に、かつ、低コストで多様化することができる。
【０００７】
また、上記構成において、前記飾りパネル部は、前記空気調和機本体に脱着自在に組み付けられるようにしてもよい。
上記構成によれば、空気調和装置の設置後においても、空気調和機本体から飾りパネルを取り外すことにより、装飾シートを取り替えることができる。したがって、居室の模様替え等に応じて外装パネルの色を簡易に取り替えることはできる。
【０００８】
また、上記構成において、前記飾りパネル部は、空気調和機本体の前面側から脱着自在に前記側壁部に組み付けられるようにしてもよい。
上記構成によれば、空気調和機本体の側壁部に組み付けられた飾りパネル部を空気調和機本体の前面側から取り外すことができる。このため、装飾シートを取り替える際に、空気調和機本体の前面側から作業を行うことができ、空気調和装置設置後も簡易に装飾シートを取り替えて、外装パネルの色を取り替えることができる。
【０００９】
また、上記構成において、前記飾りパネル部には断面視において波状の凹凸模様が付されていてもよい。
上記構成によれば、透明若しくは半透明の飾りパネル部に断面視において波状の凹凸模様を付すことにより、外装パネルの意匠的効果を高めることができる。また、装飾シートを光沢のない紙製のものとした場合にも、波状の凹凸模様を付すことにより光の乱反射等により光沢感を付与することができる。
【発明の効果】
【００１０】
本発明によれば、空気調和機本体の外装パネルが透明若しくは半透明の飾りパネル部を備え、この飾りパネル部の内側に外側から視認可能に装飾シートを備えているので、装飾シートのカラーバリエーションを多様化すれば、低コストで外装パネルのカラーバリエーションを多様化することができる。また、装飾シートは色の異なるものだけではなく、模様等の異なるものを用意することにより、外装パネルの意匠を簡易に、かつ、低コストで多様化することができる。
【発明を実施するための最良の形態】
【００１１】
以下、図面を参照しながら、本発明の一実施の形態について説明する。
図１は、壁掛型空気調和装置の斜視図、図２はその断面図である。空気調和装置１は樹脂成形した空気調和機本体３と、空気調和機本体３の前面側に配置された樹脂成形の前面パネル５とを備え、空気調和機本体３は、図２に示すように、その内側に断面略Ｃ字状の熱交換器７と、この熱交換器７の内側に配置した送風機９とを備えている。空気調和機本体３は、前面１１及び天面１３（図３参照）に吸込口１５，１７を備えており、上記送風機９の駆動により、前面１１及び天面１３の吸込口１５，１７から吸い込んだ室内空気を、熱交換器７に通流し、ここで熱交換した空気は、空気調和機本体３の送風機９の下流に設けた吹出口１９から室内に吹き出される。
【００１２】
上記吹出口１９は、スクロール部２１と舌部２２とで囲まれており、スクロール部２１の出口側には風向変更用の複数の縦羽根２３が配置され、各縦羽根２３同士はスクロール部２１の裏側でリンク部材２４により連結され、縦羽根駆動モータ（不図示）に連結されている。２５は水平フラップであり、フラップ駆動モータ（不図示）に連結されている。該フラップ２５の回動姿勢によって吹出口１９を開閉し、かつ運転条件に応じて、当該吹出口１９から吹き出される空気の吹き出し方向を上下方向に設定可能であり、複数の縦羽根２３は、運転条件に応じて、当該吹出口１９から吹き出される空気の吹き出し方向を左右方向に設定可能である。
【００１３】
本実施の形態では、空気調和機本体３の前面１１の吸込口１５と、上述した前面パネル５との間に、フィルタ昇降装置３１が配置されている。フィルタ昇降装置３１は、フィルタ３３を昇降するものであり、該フィルタ３３は、前面１１の吸込口１５と天面１３の吸込口１７とを同時に覆い、吸込口１５，１７から吸い込まれる室内空気中の塵埃を捕集する。図３は、前面パネル５を取り外し、フィルタ昇降装置３１を下降動作し、フィルタ３３を降下した状態を示し、図４は、フィルタ昇降装置３１そのものを示す。フィルタ昇降装置３１は、図４に示すように、１〜４段に区別された樹脂成形の昇降枠３５〜３８を備え、昇降枠３５〜３８がすべて引き出されると、図３の状態となって、フィルタ３３が降下し、昇降枠３５〜３８がすべて引き込まれると、図２の状態となって、フィルタ３３が吸込口１５，１７を覆うように格納される。
【００１４】
１段目の昇降枠３５は、図４に示すように、枠体３５Ａの内側を、左右及び上下に延出する補強用桁部３５Ｂで連結し、枠体３５Ａの両側には、断面略コ字状の一対のガイド３５Ｃを備えている。２段目の昇降枠３６は、同様に、枠体３６Ａの内側を、左右及び上下に延出する補強用桁部３６Ｂで連結し、枠体３６Ａの両側には、断面略コ字状の一対のガイド３６Ｃを備え、このガイド３６Ｃは、１段目の昇降枠３５のガイド３５Ｃ溝内に収納自在である。３段目の昇降枠３７は、枠体３７Ａの内側を、左右及び上下に延出する補強用桁部３７Ｂで連結し、枠体３７Ａの両側には、断面略コ字状の一対のガイド３７Ｃを備え、このガイド３７Ｃは、２段目の昇降枠３６のガイド３６Ｃ溝内に収納自在である。また、最終段の４段目の昇降枠３８は、枠体３８Ａの内側を、左右及び上下に延出する補強用桁部３８Ｂで連結し、枠体３８Ａの両側の端縁部３８Ｃは、３段目の昇降枠３７のガイド３７Ｃ溝内に収納自在である。
【００１５】
各昇降枠３５〜３８の中央には、縦に延びるガイド３５Ｄ〜３８Ｄが設けられ、ガイド３５Ｄ〜３８Ｄは、昇降枠３５〜３８の昇降時に、ガイド３５Ｄがガイド３６Ｄに収納され、ガイド３６Ｄがガイド３７Ｄに収納され、さらにガイド３７Ｄがガイド３８Ｄに収納されて、入れ子式に収納自在である。
【００１６】
４段目の昇降枠３８の下端には、破線で示すように、左右２分割の状態でフィルタ３３が取り付けられる。フィルタ３３は、その中段部を、４段目の昇降枠３８の上端部に設けた押さえ片３８Ｅの下側に挿入し、下端部を、４段目の昇降枠３８の下端部に設けた連結片３８Ｆに連結して支持されている。
フィルタ昇降装置３１を構成する昇降枠３５〜３８は、１段目の枠体３５Ａの両上端３５Ｆを、図３に示すように、空気調和機本体３の前面１１の両側上端に、ビス（図示せず）等の留め具を介して取り付けられている。
【００１７】
また、図４に示すように、１段目の枠体３５Ａの右側ガイド３５Ｃには、昇降枠３５〜３８を昇降する正逆回転可能な直流ステッピングモータ３９が取り付けられている。このステッピングモータ３９の出力軸にはベルト４１が連結され、このベルト４１は、各昇降枠３５〜３８に連結され、ステッピングモータ３９が正回転駆動されると、図３に示すように、昇降枠３５〜３８がすべて引き出されて、フィルタ３３が降下し、ステッピングモータ３９が逆回転駆動されると、図２に示すように、昇降枠３５〜３８がすべて引き込まれて、フィルタ３３が格納される。
昇降枠３５〜３８がすべて引き出された状態では、図３に示すように、１段目の枠体３５Ａの上縁が、所定位置まで低く下がって維持されており、枠体３５Ａの上縁の上方に形成される空間を通じて、電気式除塵フィルタ４０が装着される。この電気式除塵フィルタ４０は、図２に示すように、熱交換器７とフィルタ３３との間に装着され、フィルタ３３を通過した室内空気中の塵埃を捕集が可能である。
【００１８】
フィルタ３３は、上述したように４段目の昇降枠３８の下端に固定されるため、昇降枠３５〜３８が上昇し、フィルタ３３が空気調和機本体３の前面１１から天面１３に進入する過程では、フィルタ３３の上部が湾曲して前面１１から天面１３に進入する。
この空気調和機本体３の天面１３は、図２に示すように、空気調和機本体３の上部３Ａと、この上部３Ａの上に間隔δをあけて着脱自在に取り付けられる天面パネル４３とで構成され、上述したフィルタ３３の上部は湾曲して該隙間δ内に進入し、昇降枠３５〜３８がすべて引き込まれた状態（図２）では、フィルタ３３が、前面１１及び天面１３の各吸込口１５，１７を同時に覆う。
【００１９】
本実施の形態では、図３に示すように、天面パネル４３の前縁部に対し、各フィルタ３３に対応して、フィルタ３３の上部の方向転換部、すなわちフィルタ３３が前面１１から天面１３に方向転換する部位に突出して、フィルタ３３の上部を前面１１から天面１３に滑らかに案内可能に、フィルタ案内部４３Ａが一体に設けられている。また図２に示すように、方向転換した後のフィルタ３３の先端部を、天面パネル４３の下面に対し滑らかに案内自在に、天面パネル４３の前後方向に延びる桁部４３Ｂの下面に、湾曲リブ４５が一体に設けられている。この構成では、フィルタ案内部４３Ａ、及び湾曲リブ４５の協働によって、フィルタ３３の上部が、空気調和機本体３の前面１１から天面１３に対し、滑らかに案内されて進入が可能となる。
【００２０】
上記前面パネル５は、図２に示すように、空気調和装置１の不作動状態において、フィルタ昇降装置３１を完全に覆うように、空気調和機本体３の前面１１に隙間無く閉じている。そして、空気調和装置１を作動する段階、或いはフィルタ昇降装置３１を作動し、昇降枠３５〜３８を降下する段階には、図５及び図６に示すように、リンク機構４６を介して、前面パネル５が前方に押し出され、空気吸い込みのための隙間確保、或いは昇降枠３５〜３８の降下のための隙間が確保される。
【００２１】
ところで、本実施の形態では、図１および図７に示すように、空気調和機本体３の両側壁部４に設けられる外装パネル５０は、飾りパネル部５１を備え、この飾りパネル部５１の内側には装飾シート５２が備えられている。
以下、この外装パネル５０の構成を図７〜図１０を参照して説明する。但し、図７は、側壁部４に設けられる外装パネル５０の構成を示す分解斜視図であり、図８は飾りパネル部５１の構成を示す図であり、（ａ）は飾りパネル部５１の正面図、（ｂ）は（ａ）におけるＡ−Ａ断面矢視図である。また、図９は、図８（ｂ）に符号Ｂで示す一点鎖線で囲む部分を表す拡大断面図であり、図１０は飾りパネル部５１を空気調和機本体３の側壁部４に組み付ける際の手順を説明するための図である。
【００２２】
飾りパネル部５１は、透明の樹脂材料で平板状に成型されたもので、内側に配置される装飾シート５２を外側から視認することができるようになっている。装飾シート５２は、図７に示すように、飾りパネル部５１と略同形状の外形を呈し、紙製あるいはプラスチック製等の薄いシート状に形成されたものである。装飾シート５２の素材や、装飾シート５２の色、装飾シート５２の表面に付される模様等には限定はなく、空気調和機本体３と飾りパネル部５１との間に介在させることができるものであれば、各種のものを用いることができる。
また、飾りパネル部５１の表面には、図８（ｂ）および図９に示すように断面視において波状の凹凸模様が所定のピッチ間隔（例えば、本実施の形態では約３ｍｍ）で付されており、装飾シート５２とともに外装パネル５０の意匠的な効果を高めている。
【００２３】
一方、飾りパネル部５１の側縁には、図７および図８（ａ）に示すように、空気調和機本体３の前面側に配置される部分を除いて装飾縁部５３が飾りパネル部５１の周囲を囲むように設けられている。この装飾縁部５３は、前面パネル５の側縁５Ａに設けられる装飾側縁部５Ｂとともに飾りパネル部５１の周囲を装飾するもので、装飾側縁部５Ｂと装飾縁部５３とは意匠的一体性を有している。
また、図７および図１０に示すように、空気調和機本体３の両側壁部４にはそれぞれ飾りパネル部５１を組み付けるための組付凹部４Ａが形成されている。装飾縁部５３には、この組付凹部４Ａに飾りパネル部５１を組み付けるための係止爪５４、５５が設けられており、組付凹部４Ａにはそれぞれこれらの係止爪５４、５５が挿入される係止穴５４Ａ、５５Ａが形成されている。
【００２４】
さらに、飾りパネル部５１の側縁であって、空気調和機本体３の前面側に配置される部分には、空気調和機本体３の前面側の側縁を帯状に覆う帯状部５６が設けられている。この帯状部５６にはねじ穴５６Ａが形成されており、空気調和機本体３にも対応する位置にねじ穴５７が形成されている。
飾りパネル部５１は係止爪５４、５５を側壁部４の組付凹部４Ａに形成された係止穴５４Ａ、５５Ａに挿入させた状態で、この帯状部５６を空気調和機本体３の前面側からねじで固定することにより、空気調和機本体３の前面側から脱着自在に側壁部４に組み付けられる。
ねじ止めされた帯状部５６は前面パネル５の側縁５Ａに設けられる装飾側縁部５Ｂ（図１参照）により覆われる。これにより、帯状部５６や帯状部５６のねじ止め箇所が外部から視認されるのが防止されている。
【００２５】
以上説明した上記実施の形態によれば、空気調和機本体３の外装パネル５０が透明の飾りパネル部５１を備え、この飾りパネル部５１の内側に外側から視認可能に装飾シート５２を備えているので、装飾シート５２のカラーバリエーションを多様化すれば、低コストで外装パネル５０のカラーバリエーションを多様化することができる。また、装飾シート５２は色の異なるものだけではなく、模様等の異なるものを用意することにより、外装パネル５０の意匠を簡易に、かつ、低コストで多様化することができる。
【００２６】
また、上記実施の形態では、飾りパネル部５１を空気調和機本体３に脱着自在に組み付けるようにしており、空気調和装置１の設置後においても、空気調和機本体３から飾りパネル部５１を取り外すことにより、装飾シート５２を取り替えることができる。したがって、居室の模様替え等に応じて外装パネル５０の色を簡易に取り替えることはできる。
【００２７】
また、上記実施の形態では、飾りパネル部５１を空気調和機本体３の前面側から脱着自在に側壁部４に組み付けられるようにしているので、装飾シート５２を取り替える際に、空気調和機本体３の前面側から作業を行うことができ、空気調和装置１の設置後も簡易に装飾シート５２を取り替えて、外装パネル５０の色を取り替えることができる。
【００２８】
また、上記実施の形態では飾りパネル部５１の表面に断面視において波状の凹凸模様を付すようにしたので、装飾シート５２とともに、外装パネル５０の意匠的効果を高めることができる。また、装飾シート５２を光沢のない紙製のものとした場合にも、飾りパネル部５１の表面に波状の凹凸模様を付すことにより光の乱反射等により外装パネル５０に光沢感を付与することができる。
【００２９】
但し、上記の実施の形態は本発明の一態様であり、本発明の趣旨を逸脱しない範囲において適宜変更可能であるのは勿論である。
例えば、上記実施の形態では、透明の飾りパネル部５１を設ける構成としてが、飾りパネル部５１は透明のものに限定される趣旨ではなく、半透明のものであってもよい。要は、飾りパネル部５１の外側から内側に配置される装飾シート５２の色や模様等を視認可能に構成されていればよい。また、飾りパネル部５１の表面に所定のピッチ間隔で断面視において波状の凹凸模様を付すものとしたが、この凹凸模様は飾りパネル部５１の裏面に設けてもよいし、凹凸模様を設けなくてもよい。
【００３０】
また、上記実施の形態では、空気調和機本体３の両側壁部４に飾りパネル部５１および装飾シート５２を設けることとしたが、例えば、図１１に示す様に、空気調和機本体３の前面に、透明若しくは半透明の飾りパネル部６１を設け、この飾りパネル部６１の内側に、外側から視認可能に装飾シート６２を設けるようにしてもよい。この際、飾りパネル部６１を空気調和機本体３に脱着自在に組み付けられるようにすることが好ましい。
この様に前面パネル５に飾りパネル部６１や装飾シート６２を設けることにより、装飾シート６２のカラーバリエーションを多様化すれば、低コストで空気調和機本体３の前面に設ける外装パネルのカラーバリエーションを多様化することができる。また、装飾シート６２は色の異なるものだけではなく、模様等の異なるものを用意することにより、外装パネルの意匠を簡易に、かつ、低コストで多様化することができる。
【図面の簡単な説明】
【００３１】
【図１】本発明の実施形態に係る壁掛け型の空気調和装置の斜視図である。
【図２】空気調和装置の断面図である。
【図３】前面パネルを取り外し、フィルタ昇降装置を下降動作し、フィルタを降下した状態を示す図である。
【図４】フィルタ昇降装置の構成を示す図である。
【図５】フィルタ昇降装置を作動し、昇降枠が降下し始めた段階を示す図である。
【図６】フィルタ昇降装置を作動し、昇降枠が降下しきった段階を示す図である。
【図７】側壁部に設けられる外装パネルの構成を示す分解斜視図である。
【図８】飾りパネル部の構成を示す図である。
【図９】図８（ｂ）中の一点鎖線で囲まれた部分を表す拡大断面図である。
【図１０】飾りパネル部を空気調和機本体に組み付ける際の手順を説明するための図である。
【図１１】空気調和機本体の前面に設けられる外装パネルの構成を示す分解斜視図である。
【符号の説明】
【００３２】
１  空気調和装置
３  空気調和機本体
４  側壁部
４Ａ  組付凹部
５  前面パネル
７  熱交換器
９  送風機
１５  吸込口
１７  吸込口
１９  吹出口
４３  天面パネル
５０  外装パネル
５１  飾りパネル部
５２  装飾シート
５３  装飾縁部
５４  係止爪
５４Ａ  係止穴
５６  帯状部
６１  飾りパネル部
６２  装飾シート
【図１】
2009079869.tif 000003
【図２】
2009079869.tif 000004
【図３】
2009079869.tif 000005
【図４】
2009079869.tif 000006
【図５】
2009079869.tif 000007
【図６】
2009079869.tif 000008
【図７】
2009079869.tif 000009
【図８】
2009079869.tif 000010
【図９】
2009079869.tif 000011
【図１０】
2009079869.tif 000012
【図１１】
2009079869.tif 000013